(57)【要約】【課題】  複数ページにＩＣタグが付された書籍において、複雑な輻輳制御回路をＩＣタグに備えることを必要とせずに、利用者が情報提供を求める書籍のページが表紙側か裏表紙側かで、異なる情報を提供することが可能な情報提供システムの提供。【解決手段】  開始番号と終了番号を含むシーケンス番号の情報を備えたＩＣタグを書籍に付し、情報管理サーバ、若しくは各ＩＣタグに表紙側の提供情報と裏表紙側の提供情報を備え、且つ、情報管理サーバ、若しくはＲ／Ｗ機能を搭載した端末装置に所定の情報判断手段を備えることで、読み込んだＩＣタグが表紙側か裏表紙側かによって異なる情報を提供することを可能とする。【選択図】      図１
2010086209.tif 000002
【特許請求の範囲】
【請求項１】
複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、
前記書籍は、
所定の見開きの２ページに対して表紙側もしくは裏表紙側の１箇所に前記ＩＣタグを備え、
該ＩＣタグは、
書籍識別ＩＤ情報、及びタグＩＤ情報を記憶した記憶部を備えており、
該タグＩＤ情報にはシーケンス番号を備えており、
前記書籍の最も表紙側に近いページに付されたＩＣタグの該シーケンス番号は開始番号であり、最も裏表紙側に近いページに付されたＩＣタグの該シーケンス番号は終了番号であって、
前記端末装置は、
当該端末装置の個体識別番号を含む各種情報を記憶する記憶部と、
各種情報を表示する表示部と、を備え、
前記情報管理サーバは、
前記書籍識別ＩＤ情報、及び前記タグＩＤ情報に応じて、書籍の表紙側の提供情報、及び裏表紙側の提供情報を登録した提供情報管理テーブルを記憶する記憶部と、
前記端末装置を介して取得した複数のＩＣタグのシーケンス番号の中に開始番号が含まれていた場合には、取得した複数のシーケンス番号の中の最大のシーケンス番号に応じて登録されている表紙側の提供情報を、前記提供情報管理テーブルから選択し、前記端末装置を介して取得した複数のＩＣタグのシーケンス番号の中に終了番号が含まれていた場合には、取得した複数のシーケンス番号の中の最小のシーケンス番号に応じて登録されている裏表紙側の提供情報を、前記提供情報管理テーブルから選択する情報判断手段を備えた制御部と、
を備えることを特徴とする情報提供システム。
【請求項２】
複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、
前記書籍は、
所定の見開きの２ページに対して表紙側もしくは裏表紙側の１箇所に前記ＩＣタグを備え、且つ、前記ＩＣタグが前記書籍の表紙と裏表紙にそれぞれ付されており、
該ＩＣタグは、
書籍識別ＩＤ情報、及びタグＩＤ情報を記憶した記憶部を備えており、
該タグＩＤ情報にはシーケンス番号を備えており、
表紙に付されたＩＣタグの該シーケンス番号は開始番号であり、裏表紙に付されたＩＣタグの該シーケンス番号は終了番号であって、
前記端末装置は、
当該端末装置の個体識別番号を含む各種情報を記憶する記憶部と、
各種情報を表示する表示部と、を備え、
前記情報管理サーバは、
前記書籍識別ＩＤ情報、及び前記タグＩＤ情報に応じて、書籍の表紙側の提供情報、及び裏表紙側の提供情報を登録した提供情報管理テーブルを記憶する記憶部と、
前記端末装置を介して取得した複数のＩＣタグのシーケンス番号の中に開始番号が含まれていた場合には、取得した複数のシーケンス番号の中の最大のシーケンス番号に応じて登録されている表紙側の提供情報を、前記提供情報管理テーブルから選択し、前記端末装置を介して取得した複数のＩＣタグのシーケンス番号の中に終了番号が含まれていた場合には、取得した複数のシーケンス番号の中の最小のシーケンス番号に応じて登録されている裏表紙側の提供情報を、前記提供情報管理テーブルから選択する情報判断手段を備えた制御部と、
を備えることを特徴とする情報提供システム。
【請求項３】
複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、
前記書籍は、
所定の見開きの２ページに対して表紙側もしくは裏表紙側の１箇所に前記ＩＣタグを備え、
該ＩＣタグは、
書籍識別ＩＤ情報、及びタグＩＤ情報を記憶した記憶部を備えており、
該タグＩＤ情報にはシーケンス番号を備えており、
前記書籍の最も表紙側に近いページに付されたＩＣタグの該シーケンス番号は開始番号であり、最も裏表紙側に近いページに付されたＩＣタグの該シーケンス番号は終了番号であって、
前記端末装置は、
当該端末装置の個体識別番号を含む各種情報を記憶する記憶部と、
各種情報を表示する表示部と、
前記Ｒ／Ｗ機能部を介して取得した複数のＩＣタグのシーケンス番号の中に開始番号が含まれていた場合には、取得した複数のシーケンス番号の中の最大のシーケンス番号を前記タグＩＤ情報として選択し、該タグＩＤ情報及び開始番号を含む旨の情報を情報管理サーバに送信する情報と判断し、前記Ｒ／Ｗ機能部を介して取得した複数のＩＣタグのシーケンス番号の中に終了番号が含まれていた場合には、取得した複数のシーケンス番号の中の最小のシーケンス番号を前記タグＩＤ情報として選択し、該タグＩＤ情報及び終了番号を含む旨の情報を情報管理サーバに送信する情報と判断する、情報判断手段を備えた制御部と、を備え、
前記情報管理サーバは、
前記書籍識別ＩＤ情報及び前記タグＩＤ情報に応じて、書籍の表紙側の提供情報及び裏表紙側の提供情報を登録した提供情報管理テーブルを記憶する記憶部と、
前記端末装置を介して取得した情報の中に開始番号を含む旨の情報が含まれている場合には、取得した前記タグＩＤ情報に応じて登録されている表紙側の提供情報を前記提供情報管理テーブルから選択し、前記端末装置を介して取得した情報の中に終了番号を含む旨の情報が含まれている場合には、取得した前記タグＩＤ情報に応じて登録されている裏表紙側の提供情報を前記提供情報管理テーブルから選択する情報判断手段を備えた制御部と、
を備えることを特徴とする情報提供システム。
【請求項４】
複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、
前記書籍は、
所定の見開きの２ページに対して表紙側もしくは裏表紙側の１箇所に前記ＩＣタグを備え、且つ、前記ＩＣタグが前記書籍の表紙と裏表紙にそれぞれ付されており、
該ＩＣタグは、
書籍識別ＩＤ情報、及びタグＩＤ情報を記憶した記憶部を備えており、
該タグＩＤ情報にはシーケンス番号を備えており、
表紙に付されたＩＣタグの該シーケンス番号は開始番号であり、裏表紙に付されたＩＣタグの該シーケンス番号は終了番号であって、
前記端末装置は、
当該端末装置の個体識別番号を含む各種情報を記憶する記憶部と、
各種情報を表示する表示部と、
前記Ｒ／Ｗ機能部を介して取得した複数のＩＣタグのシーケンス番号の中に開始番号が含まれていた場合には、取得した複数のシーケンス番号の中の最大のシーケンス番号を前記タグＩＤ情報として選択し、該タグＩＤ情報及び開始番号を含む旨の情報を情報管理サーバに送信する情報と判断し、前記Ｒ／Ｗ機能部を介して取得した複数のＩＣタグのシーケンス番号の中に終了番号が含まれていた場合には、取得した複数のシーケンス番号の中の最小のシーケンス番号を前記タグＩＤ情報として選択し、該タグＩＤ情報及び終了番号を含む旨の情報を情報管理サーバに送信する情報と判断する、情報判断手段を備えた制御部と、を備え、
前記情報管理サーバは、
前記書籍識別ＩＤ情報及び前記タグＩＤ情報に応じて、書籍の表紙側の提供情報及び裏表紙側の提供情報を登録した提供情報管理テーブルを記憶する記憶部と、
前記端末装置を介して取得した情報の中に開始番号を含む旨の情報が含まれている場合には、取得した前記タグＩＤ情報に応じて登録されている表紙側の提供情報を前記提供情報管理テーブルから選択し、前記端末装置を介して取得した情報の中に終了番号を含む旨の情報が含まれている場合には、取得した前記タグＩＤ情報に応じて登録されている裏表紙側の提供情報を前記提供情報管理テーブルから選択する情報判断手段を備えた制御部と、
を備えることを特徴とする情報提供システム。
【請求項５】
請求項１から請求項４に記載のいずれかの情報提供システムにおいて、
前記情報管理サーバは、
所定の提供情報を登録した前記提供情報管理テーブルと、前記端末装置から取得した前記端末装置の個体識別番号、前記ＩＣタグから前記端末装置を介して取得した前記書籍識別ＩＤ情報、タグＩＤ情報、及び情報取得した時の年月日並びに時間の各情報を記録した利用者履歴テーブルと、所定の提供情報を選択するための条件を記載したプログラムと、を記憶する記憶部と、
前記プログラムを前記記憶部から読み出し実行することによって、前記利用者履歴テーブルに記録される年月日並びに時間に係る情報と、タグＩＤ情報のシーケンス番号に係る情報に基づいて、前記提供情報管理テーブルに登録されている所定の提供情報を選択する情報判断手段を備えた制御部と、
を備えることを特徴とする情報提供システム。
【請求項６】
複数のＩＣタグが所定の箇所に付された書籍と、該書籍に付されたＩＣタグと情報を送受信するためのＲ／Ｗ機能を搭載した端末装置と、を備える情報提供システムにおいて、
前記書籍は、
所定の見開きの２ページに対して表紙側もしくは裏表紙側の１箇所に前記ＩＣタグを備え、
該ＩＣタグは、
タグＩＤ情報、該ＩＣタグが付された書籍の表紙側の提供情報、及び裏表紙側の提供情報、を記憶した記憶部を備えており、
該タグＩＤ情報にはシーケンス番号を備えており、
前記書籍の最も表紙側に近いページに付されたＩＣタグの該シーケンス番号は開始番号であり、最も裏表紙側に近いページに付されたＩＣタグの該シーケンス番号は終了番号であって、
前記端末装置は、
各種情報を表示する表示部と、各種情報を記憶する記憶部と、
前記Ｒ／Ｗ機能部を介して取得した複数のＩＣタグのシーケンス番号の中に開始番号が含まれていた場合には、取得した複数のシーケンス番号の中の最大のシーケンス番号を有するＩＣタグに記憶されていた表紙側の提供情報を選択し、前記Ｒ／Ｗ機能部を介して取得した複数のＩＣタグのシーケンス番号の中に終了番号が含まれていた場合には、取得した複数のシーケンス番号の中の最小のシーケンス番号を有するＩＣタグに記憶されていた裏表紙側の提供情報を選択する情報判断手段を備えた制御部と、
を備えることを特徴とする情報提供システム。
【請求項７】
複数のＩＣタグが所定の箇所に付された書籍と、該書籍に付されたＩＣタグと情報を送受信するためのＲ／Ｗ機能を搭載した端末装置と、を備える情報提供システムにおいて、
前記書籍は、
所定の見開きの２ページに対して表紙側もしくは裏表紙側の１箇所に前記ＩＣタグを備え、且つ、前記ＩＣタグが前記書籍の表紙と裏表紙にそれぞれ付されており、
該ＩＣタグは、
タグＩＤ情報、該ＩＣタグが付された書籍の表紙側の提供情報、及び裏表紙側の提供情報、を記憶した記憶部を備えており、
該タグＩＤ情報にはシーケンス番号を備えており、
表紙に付されたＩＣタグの前記シーケンス番号は開始番号であり、裏表紙に付されたＩＣタグの前記シーケンス番号は終了番号であって、
前記端末装置は、
各種情報を表示する表示部と、各種情報を記憶する記憶部と、
前記Ｒ／Ｗ機能部を介して取得した複数のＩＣタグのシーケンス番号の中に開始番号が含まれていた場合には、取得した複数のシーケンス番号の中の最大のシーケンス番号を有するＩＣタグに記憶されていた表紙側の提供情報を選択し、前記Ｒ／Ｗ機能部を介して取得した複数のＩＣタグのシーケンス番号の中に終了番号が含まれていた場合には、取得した複数のシーケンス番号の中の最小のシーケンス番号を有するＩＣタグに記憶されていた裏表紙側の提供情報を選択する情報判断手段を備えた制御部と、
を備えることを特徴とする情報提供システム。
【請求項８】
請求項１から請求項７に記載のいずれかの情報提供システムにおいて、前記書籍は、全ての見開き２ページに対して表紙側もしくは裏表紙側の１箇所に前記ＩＣタグを備えることを特徴とする情報提供システム。
【請求項９】
請求項１から請求項８に記載のいずれかの情報提供システムにおいて、
前記端末装置は携帯電話であることを特徴とする情報提供システム。
【発明の詳細な説明】
【技術分野】
【０００１】
本発明は、複数のＩＣタグが所定の箇所に付された書籍と、該書籍に付されたＩＣタグと情報を送受信するためのＲ／Ｗ機能部を搭載した端末装置と、該端末装置とネットワーク接続される情報管理サーバとを備える情報提供システム、及び複数のＩＣタグが所定の箇所に付された書籍と、該書籍に付されたＩＣタグと情報を送受信するためのＲ／Ｗ機能を搭載した端末装置とを備える情報提供システムに関するものである。
【背景技術】
【０００２】
従来、書籍に関連する情報を提供する方法として、ＩＣタグ（他に、アンテナ付きＩＣチップ，無線ＩＣタグ，ＲＦＩＤタグ等と称される）を書籍に埋め込み、Ｒ／Ｗ機能部を搭載した携帯電話で当該ＩＣタグに記憶された情報を読み込む方法が知られている。
【０００３】
さらに、書籍の全ページに、受信情報と記憶情報とを比較判断する判断手段や選択手段、及び乱数発生手段等を有するＩＣタグを付すことで、各ページに付される複数のＩＣタグの中から、所望のＩＣタグに記憶されている情報のみを取得するＩＣタグ読取方法が知られている（例えば、特許文献１）。
【特許文献１】特開２００６−１２６９６３号公報
【発明の開示】
【発明が解決しようとする課題】
【０００４】
しかしながら、従来の技術では、
（１）書籍の全ページの表面にＩＣタグを付すことになり、用紙に埋め込む場合や、用紙の表裏いずれか片面に貼り付ける場合に比べ、２倍の数のＩＣタグが必要となり、経済的に不利であった。また、ページの表面にＩＣタグがあることが該ページの美観を損ねたり、記載領域を制限したりするという場合があった。
（２）さらに、全ＩＣタグに受信情報と記憶情報とを比較判断する判断手段や選択手段、乱数発生手段等の輻輳制御回路を含ませることはＩＣタグの構造を複雑にし、信頼性、経済性ともに不利であった。
（３）また、同一のＩＣタグからは同一の情報しか得ることは出来ず、例えば、書籍のある特定のページの用紙に表裏合わせて１個のＩＣタグが付されている場合に、該ＩＣタグが付された用紙のページが利用者に見開かれている書籍の表紙側か裏表紙側かで、利用者の更なる選択操作を経ずには、異なる情報を提供することは出来なかった。
（４）また、利用者の読み進め度合いに応じた情報提供がなされていないという課題があった。
【０００５】
本発明は上記事情に対処してなされたものであり、
（１）書籍に付すＩＣタグの数を減らすこと（例えば半分）、
（２）複雑な輻輳制御回路をＩＣタグに備えることを必要としないこと、
（３）利用者が情報提供を求める書籍のページが表紙側か裏表紙側かで、特別な入力操作を要せずに、異なる情報を提供すること、
（４）さらには、利用者の読み進め度合いに応じて異なる情報を提供すること、
を可能にする情報提供システムを提供することを目的とする。
【課題を解決するための手段】
【０００６】
本発明者は、上記課題を解決するために、
（１）利用者が情報提供を望むページが表紙側か、若しくは裏表紙側かの情報があれば、
書籍の各ページに付すＩＣタグは見開きの左右両ページに1箇所で済み、書籍の全ページに付す場合に比べ半分の数に減らすことができること、
（２）情報管理サーバ、若しくは各ＩＣタグに書籍の表紙側の提供情報と裏表紙側の提供情報を備え、且つ、情報管理サーバ、若しくはＲ／Ｗ機能を搭載した端末装置に所定の情報判断手段を備えることで、各ＩＣタグに複雑な輻輳制御回路を備えなくても、所望のページに応じた情報を提供することができること、
（３）特別な入力操作等を要せずに、利用者が情報提供を望むページに携帯電話等を近接させるだけで、異なる情報を提供することができること、
（４）利用者が情報提供を求めてきた日時を履歴情報として情報管理サーバに記録し、該履歴情報と情報管理サーバに備えた情報判断手段から利用者の読み進め度合いに応じて異なる情報を提供することができること、
を見出し、本発明を完成させた。
【０００７】
すなわち、本発明の請求項１に係る発明は、複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、前記書籍は、所定の見開きの２ページに対して表紙側もしくは裏表紙側の１箇所に前記ＩＣタグを備え、該ＩＣタグは、書籍識別ＩＤ情報、及びタグＩＤ情報を記憶した記憶部を備えており、該タグＩＤ情報にはシーケンス番号を備えており、前記書籍の最も表紙側に近いページに付されたＩＣタグの該シーケンス番号は開始番号であり、最も裏表紙側に近いページに付されたＩＣタグの該シーケンス番号は終了番号であって、前記端末装置は、当該端末装置の個体識別番号を含む各種情報を記憶する記憶部と、各種情報を表示する表示部と、を備え、前記情報管理サーバは、前記書籍識別ＩＤ情報、及び前記タグＩＤ情報に応じて、書籍の表紙側の提供情報、及び裏表紙側の提供情報を登録した提供情報管理テーブルを記憶する記憶部と、前記端末装置を介して取得した複数のＩＣタグのシーケンス番号の中に開始番号が含まれていた場合には、取得した複数のシーケンス番号の中の最大のシーケンス番号に応じて登録されている表紙側の提供情報を、前記提供情報管理テーブルから選択し、前記端末装置を介して取得した複数のＩＣタグのシーケンス番号の中に終了番号が含まれていた場合には、取得した複数のシーケンス番号の中の最小のシーケンス番号に応じて登録されている裏表紙側の提供情報を、前記提供情報管理テーブルから選択する情報判断手段を備えた制御部と、を備えることを特徴とする、情報提供システムである。
【０００８】
また、本発明の請求項２に係る発明は、複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、前記書籍は、所定の見開きの２ページに対して表紙側もしくは裏表紙側の１箇所に前記ＩＣタグを備え、且つ、前記ＩＣタグが前記書籍の表紙と裏表紙にそれぞれ付されており、該ＩＣタグは、書籍識別ＩＤ情報、及びタグＩＤ情報を記憶した記憶部を備えており、該タグＩＤ情報にはシーケンス番号を備えており、表紙に付されたＩＣタグの該シーケンス番号は開始番号であり、裏表紙に付されたＩＣタグの該シーケンス番号は終了番号であって、前記端末装置は、当該端末装置の個体識別番号を含む各種情報を記憶する記憶部と、各種情報を表示する表示部と、を備え、前記情報管理サーバは、前記書籍識別ＩＤ情報、及び前記タグＩＤ情報に応じて、書籍の表紙側の提供情報、及び裏表紙側の提供情報を登録した提供情報管理テーブルを記憶する記憶部と、前記端末装置を介して取得した複数のＩＣタグのシーケンス番号の中に開始番号が含まれていた場合には、取得した複数のシーケンス番号の中の最大のシーケンス番号に応じて登録されている表紙側の提供情報を、前記提供情報管理テーブルから選択し、前記端末装置を介して取得した複数のＩＣタグのシーケンス番号の中に終了番号が含まれていた場合には、取得した複数のシーケンス番号の中の最小のシーケンス番号に応じて登録されている裏表紙側の提供情報を、前記提供情報管理テーブルから選択する情報判断手段を備えた制御部と、を備えることを特徴とする、情報提供システムである。
【０００９】
また、本発明の請求項３に係る発明は、複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、前記書籍は、所定の見開きの２ページに対して表紙側もしくは裏表紙側の１箇所に前記ＩＣタグを備え、該ＩＣタグは、書籍識別ＩＤ情報、及びタグＩＤ情報を記憶した記憶部を備えており、該タグＩＤ情報にはシーケンス番号を備えており、前記書籍の最も表紙側に近いページに付されたＩＣタグの該シーケンス番号は開始番号であり、最も裏表紙側に近いページに付されたＩＣタグの該シーケンス番号は終了番号であって、前記端末装置は、当該端末装置の個体識別番号を含む各種情報を記憶する記憶部と、各種情報を表示する表示部と、前記Ｒ／Ｗ機能部を介して取得した複数のＩＣタグのシーケンス番号の中に開始番号が含まれていた場合には、取得した複数のシーケンス番号の中の最大のシーケンス番号を前記タグＩＤ情報として選択し、該タグＩＤ情報及び開始番号を含む旨の情報を情報管理サーバに送信する情報と判断し、前記Ｒ／Ｗ機能部を介して取得した複数のＩＣタグのシーケンス番号の中に終了番号が含まれていた場合には、取得した複数のシーケンス番号の中の最小のシーケンス番号を前記タグＩＤ情報として選択し、該タグＩＤ情報及び終了番号を含む旨の情報を情報管理サーバに送信する情報と判断する、情報判断手段を備えた制御部と、を備え、前記情報管理サーバは、前記書籍識別ＩＤ情報及び前記タグＩＤ情報に応じて、書籍の表紙側の提供情報及び裏表紙側の提供情報を登録した提供情報管理テーブルを記憶する記憶部と、前記端末装置を介して取得した情報の中に開始番号を含む旨の情報が含まれている場合には、取得した前記タグＩＤ情報に応じて登録されている表紙側の提供情報を前記提供情報管理テーブルから選択し、前記端末装置を介して取得した情報の中に終了番号を含む旨の情報が含まれている場合には、取得した前記タグＩＤ情報に応じて登録されている裏表紙側の提供情報を前記提供情報管理テーブルから選択する情報判断手段を備えた制御部と、を備えることを特徴とする、情報提供システムである。
【００１０】
また、本発明の請求項４に係る発明は、複数のＩＣタグが所定の箇所に付された書籍と、該書籍に付されたＩＣタグと情報を送受信するためのＲ／Ｗ機能を搭載した端末装置と、該端末装置とネットワーク接続される情報管理サーバと、を備える情報提供システムにおいて、前記書籍は、所定の見開きの２ページに対して表紙側もしくは裏表紙側の１箇所に前記ＩＣタグを備え、且つ、前記ＩＣタグが前記書籍の表紙と裏表紙にそれぞれ付されており、該ＩＣタグは、書籍識別ＩＤ情報、及びタグＩＤ情報を記憶した記憶部を備えており、該タグＩＤ情報にはシーケンス番号を備えており、表紙に付されたＩＣタグの該シーケンス番号は開始番号であり、裏表紙に付されたＩＣタグの該シーケンス番号は終了番号であって、前記端末装置は、当該端末装置の個体識別番号を含む各種情報を記憶する記憶部と、各種情報を表示する表示部と、前記Ｒ／Ｗ機能部を介して取得した複数のＩＣタグのシーケンス番号の中に開始番号が含まれていた場合には、取得した複数のシーケンス番号の中の最大のシーケンス番号を前記タグＩＤ情報として選択し、該タグＩＤ情報及び開始番号を含む旨の情報を情報管理サーバに送信する情報と判断し、前記Ｒ／Ｗ機能部を介して取得した複数のＩＣタグのシーケンス番号の中に終了番号が含まれていた場合には、取得した複数のシーケンス番号の中の最小のシーケンス番号を前記タグＩＤ情報として選択し、該タグＩＤ情報及び終了番号を含む旨の情報を情報管理サーバに送信する情報と判断する、情報判断手段を備えた制御部と、を備え、前記情報管理サーバは、前記書籍識別ＩＤ情報及び前記タグＩＤ情報に応じて、書籍の表紙側の提供情報及び裏表紙側の提供情報を登録した提供情報管理テーブルを記憶する記憶部と、前記端末装置を介して取得した情報の中に開始番号を含む旨の情報が含まれている場合には、取得した前記タグＩＤ情報に応じて登録されている表紙側の提供情報を前記提供情報管理テーブルから選択し、前記端末装置を介して取得した情報の中に終了番号を含む旨の情報が含まれている場合には、取得した前記タグＩＤ情報に応じて登録されている裏表紙側の提供情報を前記提供情報管理テーブルから選択する情報判断手段を備えた制御部と、を備えることを特徴とする、情報提供システムである。
【００１１】
また、本発明の請求項５に係る発明は、請求項１から請求項４に記載のいずれかの情報提供システムにおいて、前記情報管理サーバは、所定の提供情報を登録した前記提供情報管理テーブルと、前記端末装置から取得した前記端末装置の個体識別番号、前記ＩＣタグから前記端末装置を介して取得した前記書籍識別ＩＤ情報、タグＩＤ情報、及び情報取得した時の年月日並びに時間の各情報を記録した利用者履歴テーブルと、所定の提供情報を選択するための条件を記載したプログラムと、を記憶する記憶部と、前記プログラムを前記記憶部から読み出し実行することによって、前記利用者履歴テーブルに記録される年月日並びに時間に係る情報と、タグＩＤ情報のシーケンス番号に係る情報に基づいて、前記提供情報管理テーブルに登録されている所定の提供情報を選択する情報判断手段を備えた制御部と、を備えることを特徴とする、情報提供システムである。
【００１２】
また、本発明の請求項６に係る発明は、複数のＩＣタグが所定の箇所に付された書籍と、該書籍に付されたＩＣタグと情報を送受信するためのＲ／Ｗ機能を搭載した端末装置と、を備える情報提供システムにおいて、前記書籍は、所定の見開きの２ページに対して表紙側もしくは裏表紙側の１箇所に前記ＩＣタグを備え、該ＩＣタグは、タグＩＤ情報、該ＩＣタグが付された書籍の表紙側の提供情報、及び裏表紙側の提供情報、を記憶した記憶部を備えており、該タグＩＤ情報にはシーケンス番号を備えており、前記書籍の最も表紙側に近いページに付されたＩＣタグの該シーケンス番号は開始番号であり、最も裏表紙側に近いページに付されたＩＣタグの該シーケンス番号は終了番号であって、前記端末装置は、各種情報を表示する表示部と、各種情報を記憶する記憶部と、前記Ｒ／Ｗ機能部を介して取得した複数のＩＣタグのシーケンス番号の中に開始番号が含まれていた場合には、取得した複数のシーケンス番号の中の最大のシーケンス番号を有するＩＣタグに記憶されていた表紙側の提供情報を選択し、前記Ｒ／Ｗ機能部を介して取得した複数のＩＣタグのシーケンス番号の中に終了番号が含まれていた場合には、取得した複数のシーケンス番号の中の最小のシーケンス番号を有するＩＣタグに記憶されていた裏表紙側の提供情報を選択する情報判断手段を備えた制御部と、を備えることを特徴とする、情報提供システムである。
【００１３】
また、本発明の請求項７に係る発明は、複数のＩＣタグが所定の箇所に付された書籍と、該書籍に付されたＩＣタグと情報を送受信するためのＲ／Ｗ機能を搭載した端末装置と、を備える情報提供システムにおいて、前記書籍は、所定の見開きの２ページに対して表紙側もしくは裏表紙側の１箇所に前記ＩＣタグを備え、且つ、前記ＩＣタグが前記書籍の表紙と裏表紙にそれぞれ付されており、該ＩＣタグは、タグＩＤ情報、該ＩＣタグが付された書籍の表紙側の提供情報、及び裏表紙側の提供情報、を記憶した記憶部を備えており、該タグＩＤ情報にはシーケンス番号を備えており、表紙に付されたＩＣタグの前記シーケンス番号は開始番号であり、裏表紙に付されたＩＣタグの前記シーケンス番号は終了番号であって、前記端末装置は、各種情報を表示する表示部と、各種情報を記憶する記憶部と、前記Ｒ／Ｗ機能部を介して取得した複数のＩＣタグのシーケンス番号の中に開始番号が含まれていた場合には、取得した複数のシーケンス番号の中の最大のシーケンス番号を有するＩＣタグに記憶されていた表紙側の提供情報を選択し、前記Ｒ／Ｗ機能部を介して取得した複数のＩＣタグのシーケンス番号の中に終了番号が含まれていた場合には、取得した複数のシーケンス番号の中の最小のシーケンス番号を有するＩＣタグに記憶されていた裏表紙側の提供情報を選択する情報判断手段を備えた制御部と、を備えることを特徴とする、情報提供システムである。
【００１４】
また、本発明の請求項８に係る発明は、請求項１から請求項７に記載のいずれかの情報提供システムにおいて、前記書籍は、全ての見開き２ページに対して表紙側もしくは裏表紙側の１箇所に前記ＩＣタグを備えることを特徴とする、情報提供システムである。
【００１５】
また、本発明の請求項９に係る発明は、請求項１から請求項８に記載のいずれかの情報提供システムにおいて、前記端末装置は携帯電話であることを特徴とする、情報提供システムである。
【発明の効果】
【００１６】
本発明によれば、同一のＩＣタグであっても、表紙側と裏表紙側とで異なった情報を提供することができるため、書籍に付すＩＣタグの総数を減らすことができる。また、複雑な輻輳制御回路をＩＣタグに備えることを必要としないため、ＩＣタグの信頼性や経済性の点で有利である。また、携帯電話等を見開きページの表紙側、もしくは裏表紙側に近接させるという簡易な作業のみで、所望のページに係る表紙側の情報、もしくは裏表紙側の情報を提供することができ、さらには、利用者の読み進め度合いに応じて異なる情報を提供することができる。
【発明を実施するための最良の形態】
【００１７】
以下、本発明の実施の形態について図面を参照して説明する。
（第1の実施形態）
図１は、本発明の第１及び第２の実施形態に係る情報提供システムの全体構成を示す図である。図１に示すように、情報提供システム１は、ＩＣタグ２、書籍３、端末装置４、ネットワーク５に接続された情報管理サーバ６と、を備えて構成されている。
【００１８】
ＩＣタグ２は、書籍３の所定の見開き２ページに対して１個が付されており、例えば、図１においては書籍３の見開きの右ページの表面に１個付されている。ここで図１では記載を省略しているが、本実施形態では、ＩＣタグ２は、書籍３の全ての見開きの右ページの表面に各々付されている。例えば、書籍３が１ページから１００ページにわたる場合は、付されているＩＣタグ２の数は５０個となる。
【００１９】
ただし、ＩＣタグ２は、書籍３の見開きの各右ページに付す場合以外に、各左ページに付しても良い。また、書籍３の見開きのページの左右どちらかの全ページ（例えば、全偶数ページ、もしくは全奇数ページ）に付す場合以外にも、目的に応じて特定のページにのみ付されていても良い。例えば、各章の始まりのページごとに付されていても良い。この場合は、ＩＣタグの数をより減らせるため、書籍を含むシステムのトータル・コストの面で有利な効果がある。
【００２０】
ＩＣタグ２は、ページの表面に付す場合以外にも、裏面に付す場合や、ページの用紙に埋め込む場合もある。ページの用紙に埋め込む場合には、書籍の各ページの外観を害さず、また埋め込み位置も制限が少なくなるという有利な効果がある。また、書籍の表紙、及び裏表紙に付す場合もある。この場合は、さらにＩＣタグを付す位置、大きさ、範囲の自由度が増すことになり、例えば、端末装置との送受信をより確実なものとする効果を奏する目的で、他のページに付されるＩＣタグよりも大きいアンテナや複数のアンテナを付けることもできる。
【００２１】
なお、本発明のＩＣタグ２は表紙側と裏表紙側とで混信を避けるため、書籍の厚さ、大きさに応じた交信距離（例えば１〜７ｃｍ）となるパッシブ・タグであることが好ましい。
【００２２】
端末装置４はＩＣタグ２と無線通信するためのＲ／Ｗ機能部を備えており、例えば、端末装置４をＩＣタグ２に近接させることでＩＣタグ２に記憶した情報を読み取ることができる。ここで、書籍３には複数のＩＣタグ２が付されているため、例えば、書籍３の見開きページのうち、表紙側のページに端末装置４を近接させたときは、見開きページを含む表紙側に付された全てのＩＣタグ２と交信することになり、表紙側に付された全てのＩＣタグ２の記憶情報を取得することになる。逆に、書籍３の見開きページのうち、裏表紙側のページに端末装置４を近接させたときは、見開きページを含む裏表紙側に付された全てのＩＣタグ２と交信することになり、裏表紙側に付された全てのＩＣタグ２の記憶情報を取得することになる。
【００２３】
また、端末装置４は、通信手段としてのネットワーク５を介して情報管理サーバ６に接続し、データ通信が可能になっている。なお、ネットワーク５は、移動体通信網（無線基地局、交換局等を含む）及びインターネット等により構築されている。
【００２４】
図２は、本発明の第１及び第２の実施形態に係るＩＣタグ２のハードウェア構成を示す図である。図２に示すように、通信部７、制御部８、記憶部９はバス１０を介して接続されている。
【００２５】
図３は、本発明の第１及び第２の実施形態に係るＩＣタグ２の機能ブロックを示す図である。図３に示すように、ＩＣタグ２は、端末装置４と情報を送受信する通信部７と、各種情報を記憶する記憶部９と、通信部７を介して情報を取得する情報取得手段１０１と、取得した情報を該記憶部９に書き込む情報書込手段１０２と、記憶部９に記憶された情報を通信部７を介して送信する情報送信手段１０３とを備えた制御部８と、を備えて構成されている。
【００２６】
記憶部９には、ＩＣタグ２が付されている書籍３の識別情報である書籍識別ＩＤ情報３０２、ＩＣタグ２の識別情報であるタグＩＤ情報３０３が記憶されている。また、必要に応じて、端末装置４に表示するインデックス用のテキスト・データが記憶されていても良い。
【００２７】
前記タグＩＤ情報３０３にはシーケンス番号が含まれており、例えば表紙側から裏表紙側へと番号が増加するように各ＩＣタグ２が書籍３に付されている。そして、最も表紙側に近いページに付されたＩＣタグ２のシーケンス番号は開始番号であり（例えば０００）、最も裏表紙側に近いページに付されたＩＣタグ２のシーケンス番号は終了番号である（例えば９９９）。ここで、ＩＣタグ２を表紙や裏表紙にも付す場合には、表紙に付されたＩＣタグ２のシーケンス番号が開始番号となり、裏表紙に付されたＩＣタグ２のシーケンス番号が終了番号となる。
【００２８】
図４は、本発明の第１及び第２の実施形態に係る端末装置のハードウェア構成を示す図である。図４に示すように、入力部１１、表示部１２、記憶部１３、通信部１４、Ｒ／Ｗ機能部１５、制御部１６はバス１７を介して接続されている。
図５、は本発明の第１及び第２の実施形態に係る端末装置の機能ブロックを示す図である。図５に示すように、端末装置４は、利用者の操作入力を受付ける入力部１１と、各種情報を表示する表示部１２と、プログラムや当該端末装置の個体識別番号を含む各種情報を記憶する記憶部１３と、ネットワークを介して他の装置との間で通信を行うための通信部１４と、前記ＩＣタグ２と情報を送受信するためのＲ／Ｗ機能部１５と、該通信部１４及び該Ｒ／Ｗ機能部１５を介した情報取得手段１０４、取得した情報を記憶部１３に書き込む情報書込手段１０５、取得した情報と該記憶部１３の情報との照合等を行う情報判断手段１０６、及び各種情報を通信部１４を介して前記情報管理サーバ６に送信する情報送信手段１０７、を備えた制御部１６と、を備えて構成されている。例えば、本発明の端末装置４は移動体通信システムにおける携帯電話である。
【００２９】
図６は、本発明の第１及び第２の実施形態に係る情報管理サーバのハードウェア構成を示す図である。図６に示すように、記憶部１８、通信部１９、制御部２０はバス２１を介して接続されている。
【００３０】
図７は、本発明の第１及び第２の実施形態に係る情報管理サーバの機能ブロックを示す図である。図７に示すように、情報管理サーバ６は、ＩＣタグ２が付された書籍３の内容に関連する複数種類の提供情報を登録した提供情報管理テーブル２０１と、利用者情報を記録する利用者履歴テーブル２０２と、所定の提供情報を選択するための条件を記載したプログラム２０３と、を記憶する記憶部１８と、ネットワークを介して各種情報を送受信する通信部１９と、通信部１９を介して前記端末装置４から情報を取得する情報取得手段１０８と、取得した情報を記憶部１８に書き込む情報書込手段１０９と、取得した情報と各記憶部１８の情報との照合等を行う情報判断手段１１０と、情報判断手段１１０を介して記憶部１８から選択された所定の提供情報を、通信部１９を介して前記端末装置４に送信する情報送信手段１１１と、を備えた制御部２０と、を備えて構成されている。
【００３１】
図８は、本発明の第１及び第２の実施形態に係る提供情報管理テーブルの例を示す図である。図８に示すように、提供情報管理テーブル２０１には、提供情報管理ＩＤ３０１毎に、書籍識別ＩＤ情報３０２、タグＩＤ情報３０３、書籍３の表紙側の提供情報３０４、裏表紙側の提供情報３０５、及び必要に応じて選択される所定の提供情報（例えば、図８におけるｆ９０１．ｇｉｆや、ｂ９０１．ｇｉｆ）が登録されており、各情報の形式はテキスト、音声、画像、動画等の電子データや、アプリケーション・ソフトウェアである。
【００３２】
図９は、本発明の第１及び第２の実施形態に係る利用者履歴テーブルの例を示す図である。図９に示すように、利用者履歴テーブル２０２に記録される情報は、前記端末装置４の個体識別番号３０６、前記書籍識別ＩＤ情報３０２、タグＩＤ情報３０３、及び情報取得した時の年月日並びに時間情報３０７である。
【００３３】
図１０は、本発明の第１の実施形態に係る情報管理サーバの第１の情報判断処理のフローチャートを示す図である。
【００３４】
まず、情報管理サーバ６の制御部２０の情報判断手段１１０は、端末装置４を介して複数のＩＣタグ２から取得した、書籍識別ＩＤ情報３０２、及び複数のタグＩＤ情報３０３を情報取得手段１０８により取得する（ステップＳ１，Ｓ２）。ここで、タグＩＤ情報３０３にはシーケンス番号が備えられている。
【００３５】
次に、情報判断手段１１０は、取得した複数のシーケンス番号の中に開始番号が含まれているか否かを判断する（ステップＳ３）。そして、取得した複数のシーケンス番号の中に開始番号が含まれていた場合には、情報判断手段１１０は、記憶部１８の提供情報管理テーブル２０１から、取得した複数のシーケンス番号の中の最大のシーケンス番号を備えるタグＩＤ情報３０３に応じて登録されている表紙側の提供情報３０４を選択する（ステップＳ４）。
【００３６】
一方、取得した複数のシーケンス番号の中に開始番号が含まれていない場合は、情報判断手段１１０は、取得した複数のシーケンス番号の中に終了番号が含まれているか否かを判断する（ステップＳ５）。そして、取得した複数のシーケンス番号の中に終了番号が含まれていた場合には、情報判断手段１１０は、提供情報管理テーブル２０１から、取得した複数のシーケンス番号の中の最小のシーケンス番号を備えるタグＩＤ情報３０３に応じて登録されている書籍の裏表紙側の提供情報３０５を選択する（ステップＳ６）。
【００３７】
最後に、情報判断手段１１０により選択された提供情報は、情報送信手段１１１により通信部１９を介して端末装置４に送信される。
【００３８】
なお、取得した複数のシーケンス番号の中に開始番号も終了番号も共に含まれていない場合には、ステップＳ２に戻って、タグＩＤ情報を再度取得する。
【００３９】
さらに、情報判断手段１１０は、利用者履歴テーブル２０２に記録される年月日並びに時間に係る情報３０７と、タグＩＤ情報３０３のシーケンス番号に係る情報と、提供情報管理テーブル２０１に登録されている所定の提供情報を選択するための条件を記載したプログラム２０３を照合して、該所定の提供情報を端末装置４に送信する提供情報として選択することもできる（図１１）。
【００４０】
図１１は、本発明の第１及び第２の実施形態に係る情報管理サーバの第２の情報判断処理の一例のフローチャートを示す図である。
【００４１】
まず、情報管理サーバ６の制御部２０の情報判断手段１１０は、前記第１の情報判断処理から、書籍識別ＩＤ情報３０２、タグＩＤ情報３０３、及び開始番号又は終了番号のいずれが含まれているかの情報を取得し（ステップＳ７）、さらに、記憶部１８の利用者履歴テーブル２０２に記録された情報を取得する（ステップＳ８）。
【００４２】
そして、情報判断手段１１０は、上記のステップで取得した情報とプログラム２０３を照合して、所定の条件を満たすか否か判断する（ステップＳ９）。
【００４３】
前記所定の条件を満たす場合には、前記第１の情報判断処理において、開始番号が含まれていたか否か判断する（ステップＳ１０）。
【００４４】
開始番号が含まれていた場合には（例えば、図１０においてステップＳ４の処理が実行された場合には）、情報判断手段１１０は、記憶部１８の提供情報管理テーブル２０１から、所定の提供情報管理ＩＤ３０１に応じて登録されている表紙側の提供情報３０４を選択する（ステップＳ１１）。
【００４５】
一方、取得したタグＩＤ情報３０３のシーケンス番号の中に開始番号が含まれていない場合は（例えば、図１０においてステップＳ６の処理が実行された場合には）、情報判断手段１１０は、記憶部１８の提供情報管理テーブル２０１から、所定の提供情報管理ＩＤ３０１に応じて登録されている裏表紙側の提供情報３０５を選択する（ステップＳ１２）。
【００４６】
例えば、プログラム２０３には、利用者履歴テーブル２０２に記録される前回受信したタグＩＤ情報３０３のシーケンス番号と今回受信したタグＩＤ情報３０３のシーケンス番号との間隔（ΔＹ）と、前回受信した年月日並びに時間３０７と今回受信した年月日並びに時間３０７との間隔（ΔＸ）との比が、一定の数値（Ａ）より大きい場合に（ΔＹ／ΔＸ＞Ａ）、提供情報管理テーブル２０１の所定の提供情報管理ＩＤ３０１（例えば９０００００１）に登録されている表紙側の提供情報３０４（例えばｆ９０１．ｇｉｆ）、若しくは裏表紙側の提供情報３０５（例えばｂ９０１．ｇｉｆ）を選択するといった条件が記載されている。そして、取得したタグＩＤ情報３０３のシーケンス番号の中に開始番号が含まれていれば、表紙側の提供情報３０４が選択され、開始番号が含まれていなければ、裏表紙側の提供情報３０５が選択される。
【００４７】
情報判断手段１１０により選択された提供情報は、情報送信手段１１１により通信部１９を介して端末装置４に送信される。
【００４８】
本発明の第１の実施形態における情報提供は、例えば、以下のように実行される。
【００４９】
書籍３には、全ページ（例えば１００ページ）にわたって、見開きの右ページの表面にＩＣタグ２が計５０個付されている。
【００５０】
ＩＣタグ２には、タグＩＤ情報３０３が記憶されており、表紙側からシーケンス番号が付与されている。なお、最初のシーケンス番号は開始番号（本事例では、００１）であり、最後のシーケンス番号は終了番号（本事例では、０５０）である。
【００５１】
ここで本事例では、端末装置４はＲ／Ｗ機能を有する携帯電話である。そしてこの場合、利用者はＩＣタグ２の情報を読み込むための携帯電話用アプリケーションを携帯電話にダウンロードする。
【００５２】
利用者はＩＣタグ２が付された書籍３の任意のページで、携帯電話を近接させることにより、例えば、表紙側のＩＣタグ２の記憶情報を読み込む。ここで例えば書籍３が、見開きの左側が表紙側で且つ偶数ページの場合、１０ページに携帯電話を近接させたときには、読み込まれるＩＣタグ２のシーケンス番号は００１から００５となる。
【００５３】
読み取り後、携帯電話は、携帯電話の個体識別番号３０６と、読み込んだ書籍識別ＩＤ情報３０２、及びタグＩＤ情報３０３を情報管理サーバ６へ送信する。
【００５４】
情報管理サーバ６は受信した携帯電話の個体識別番号３０６と、読み込んだ書籍識別ＩＤ情報３０２、タグＩＤ情報３０３、及び受信した日時３０７を利用者履歴テーブル２０２に記録する。
【００５５】
情報管理サーバ６は情報判断手段１１０に従って、提供情報管理テーブル２０１から、書籍識別ＩＤ情報３０２、及びタグＩＤ情報３０３に応じた提供情報を選択して、携帯電話へ送信する。具体的には、取得した複数のシーケンス番号の中に開始番号（００１）が含まれていることから、送信される提供情報は、提供情報管理テーブル２０１において、タグＩＤ情報３０３のシーケンス番号００５に応じて登録されている表紙側の提供情報３０４となる。
【００５６】
一方、利用者が見開きの右側の１１ページに携帯電話を近接させたときは、読み込まれるＩＣタグ２のシーケンス番号は００６から０５０となる。この場合は、取得した複数のシーケンス番号の中に終了番号（０５０）が含まれていることから、送信される提供情報は、提供情報管理テーブル２０１において、タグＩＤ情報３０３のシーケンス番号００６に応じて登録されている裏表紙側の提供情報３０５となる。
【００５７】
利用者は情報管理サーバ６から送信された提供情報を携帯電話で見たり、聞いたりすることができる。提供情報の形式は例えば、テキスト、音声、画像、動画等の電子データや、アプリケーション・ソフトウェア等である。
【００５８】
また、例えば、情報管理サーバのプログラム２０３に記載された条件が、利用者履歴テーブル２０２に記録されている前回受信したタグＩＤ情報３０３のシーケンス番号と今回受信したタグＩＤ情報３０３のシーケンス番号との差（ΔＹ）と、前回受信した年月日並びに時間３０７と今回受信した年月日並びに時間３０７との時間差（ΔＸ）との比が、一定の数値（例えば、１０）より大きい場合に（ΔＹ／ΔＸ＞１０）、所定の提供情報を選択するものであれば、利用者が前回１１ページに付されたＩＣタグ（シーケンス番号は００６）に携帯電話を近接させて情報管理サーバ６と交信し、その1時間後に３３ページまで読み進めて３３ページに付されたＩＣタグ（シーケンス番号は０１７）に携帯電話を近接させて情報管理サーバ６に送信した場合には（ΔＹ＝１１、ΔＸ＝１のため、ΔＹ／ΔＸ＞１０を満たす）、情報管理サーバ６は所定の提供情報を携帯電話に送信することになる。
【００５９】
したがって、同じＩＣタグを読み込む場合でも、読み込みの履歴、すなわち、書籍３の読み進め度合いに応じて異なった情報が提供され、利用者は、より楽しみながら書籍３を読み進めることができる。
【００６０】
（第２の実施形態）
図１２は、本発明の第２の実施形態に係る端末装置の情報判断処理のフローチャートを示す図である。
【００６１】
まず、端末装置４の制御部１６の情報判断手段１０６は、Ｒ／Ｗ機能部１５を介して取得した複数のタグＩＤ情報３０３を、情報取得手段１０４により取得する（ステップＳ１３）。ここで、タグＩＤ情報３０３にはシーケンス番号が備えられている。
【００６２】
次に、情報判断手段１０６は、取得した複数のシーケンス番号の中に開始番号が含まれているか否かを判断する（ステップＳ１４）。そして、取得した複数のシーケンス番号の中に開始番号が含まれていた場合には、情報判断手段１０６は、取得した複数のシーケンス番号の中の最大のシーケンス番号を、情報管理サーバ６に送信するタグＩＤ情報として選択し、情報送信手段１０７により、通信部１４を介して該タグＩＤ情報、及び取得した複数のシーケンス番号の中に開始番号を含む旨の情報を情報管理サーバ６に送信する（ステップＳ１５）。
【００６３】
一方、取得した複数のシーケンス番号の中に開始番号が含まれていない場合は、情報判断手段１０６は、取得した複数のシーケンス番号の中に終了番号が含まれているか否かを判断する（ステップＳ１６）。そして、取得した複数のシーケンス番号の中に終了番号が含まれていた場合には、情報判断手段１０６は、取得した複数のシーケンス番号の中の最小のシーケンス番号を、情報管理サーバ６に送信するタグＩＤ情報として選択し、情報送信手段１０７により、通信部１４を介して該タグＩＤ情報、及び取得した複数のシーケンス番号の中に終了番号を含む旨の情報を情報管理サーバ６に送信する（ステップＳ１７）。
【００６４】
なお、取得した複数のシーケンス番号の中に開始番号も終了番号も共に含まれていない場合には、ステップＳ１３に戻って、タグＩＤ情報を再度取得する。
【００６５】
図１３は、本発明の第２の実施形態に係る情報管理サーバの第１の情報判断処理のフローチャートを示す図である。
【００６６】
まず、情報管理サーバ６の制御部２０の情報判断手段１１０は、端末装置４を介して複数のＩＣタグ２から取得した、書籍識別ＩＤ情報３０２、及びタグＩＤ情報３０３を情報取得手段１０８により取得する（ステップＳ１８，Ｓ１９）。ここで、前記端末装置４の情報判断処理により、タグＩＤ情報３０３は１つのシーケンス番号に係るＩＣタグ２の情報のみに絞られている。
【００６７】
次に、情報判断手段１１０は、取得した情報の中に開始番号を含む旨の情報が含まれているか否かを判断する（ステップＳ２０）。ここで、開始番号を含む旨の情報とは、開始番号を含むという事実の情報以外にも、例えば、前記端末装置４の情報判断処理により選択されたタグＩＤ情報が最大のシーケンス番号である旨の情報や、前記端末装置４の情報判断処理においてステップＳ１５を実行した旨の情報が該当する。
そして、取得した情報の中に開始番号を含む旨の情報が含まれていた場合には、情報判断手段１１０は、記憶部１８の提供情報管理テーブル２０１から、取得した書籍識別ＩＤ情報３０２、及びタグＩＤ情報３０３に応じて登録されている表紙側の提供情報３０４を選択する（ステップＳ２１）。
【００６８】
一方、取得した情報の中に開始番号を含む旨の情報が含まれていない場合には、情報判断手段１１０は、記憶部１８の提供情報管理テーブル２０１から、取得した書籍識別ＩＤ情報３０２、及びタグＩＤ情報３０３に応じて登録されている裏表紙側の提供情報３０５を選択する（ステップＳ２２）。
【００６９】
最後に、情報判断手段１１０により選択された提供情報は、情報送信手段１１１により通信部１９を介して端末装置４に送信される。
【００７０】
本発明の第２の実施形態によれば、ＩＣタグ２から開始番号又は終了番号を取得し損ねた場合にも、情報管理サーバ６を介さずに、端末装置４とＩＣタグ２との間だけでタグＩＤ情報取得の処理ループ（図１２のステップＳ１３、Ｓ１４、S１６の処理ループ）が実行されるため、システム全体の処理速度が速くなるという効果が得られる。
また、情報管理サーバ６へ送信するタグＩＤ情報は最大又は最小のシーケンス番号を備えるＩＣタグ２のタグＩＤ情報のみに削減できるため、本発明の第１の実施形態のように取得した複数のＩＣタグ２の全てのタグＩＤ情報を送信する場合に比べ、通信容量を減らすことが可能となる。
【００７１】
なお、本発明の第２の実施形態においても、第１の実施形態と同様に、情報判断手段１１０は、利用者履歴テーブル２０２に記録される年月日並びに時間に係る情報３０７と、タグＩＤ情報３０３のシーケンス番号に係る情報と、提供情報管理テーブル２０１に登録されている所定の提供情報を選択するための条件を記載したプログラム２０３を照合して、該所定の提供情報を端末装置４に送信する提供情報として選択することもできる（図１１）。
【００７２】
ここで、本発明の第２の実施形態においては、図１１における開始番号が含まれているか否かの判断（ステップＳ１０）は、例えば、図１３においてステップＳ２１の処理が実行されたか否かの情報により判断できる。
【００７３】
（第３の実施形態）
図１４は、本発明の第３の実施形態に係る情報提供システムの全体構成を示す図である。図１４に示すように、情報提供システム２２は、ＩＣタグ２３、書籍２４、端末装置２５と、を備えて構成されている。本システム２２では、第１又は第２の実施形態とは異なり、ネットワークに接続された情報管理サーバは必要としない。
【００７４】
それゆえ、第１又は第２の実施形態と比べた場合、情報管理サーバとの通信の手間を省けるため、情報提供の応答が速いという効果を奏する。また、システム全体のトータル・コストを低く抑えることができるという効果を奏する。
【００７５】
ＩＣタグ２３は、本発明の第１の実施形態と同様に、書籍２４の所定の見開き２ページに対して１個が付されており、例えば、図１４においては書籍２４の見開きの右ページの表面に１個付されている。ここで図１４では記載を省略しているが、本実施形態では、ＩＣタグ２３は、書籍２４の見開きの全右ページの表面に各々付されている。
【００７６】
ただし、ＩＣタグ２３は、書籍２４の見開きの各右ページに付す場合以外に、各左ページに付しても良い。また、書籍２４の見開きのページの左右どちらかの全ページ（例えば、全偶数ページ、もしくは全奇数ページ）に付す場合以外にも、目的に応じて特定のページにのみ付されていても良い。例えば、各章の始まりのページごとに付されていても良い。この場合は、ＩＣタグの数をより減らせるため、書籍を含むシステムのトータル・コストの面で有利な効果がある。
【００７７】
ＩＣタグ２３は、ページの表面に付す場合以外にも、裏面に付す場合や、ページの用紙に埋め込む場合もある。ページの用紙に埋め込む場合には、書籍の各ページの外観を害さず、また埋め込み位置も制限が少なくなるという有利な効果がある。また、書籍の表紙、及び裏表紙に付す場合もある。この場合は、さらにＩＣタグを付す位置、大きさ、範囲の自由度が増すことになり、例えば、端末装置との送受信をより確実なものとする効果を奏する目的で、他のページに付されるＩＣタグよりも大きいアンテナや複数のアンテナを付けることもできる。
【００７８】
なお、本発明のＩＣタグ２３は表紙側と裏表紙側とで混信を避けるため、書籍の厚さ、大きさに応じた交信距離（例えば１〜７ｃｍ）となるパッシブ・タグであることが好ましい。
【００７９】
端末装置２５は、本発明の第１の実施形態と同様に、ＩＣタグ２３と無線通信するためのＲ／Ｗ機能を備えており、例えば、端末装置２５をＩＣタグ２３に近接させることでＩＣタグ２３に記憶した情報を読み取ることができる。
【００８０】
ここで、書籍２４には複数のＩＣタグ２３が付されているため、例えば、書籍２４の見開きページのうち、表紙側のページに端末装置２５を近接させたときは、見開きページを含む表紙側に付された全てのＩＣタグ２３と交信することになり、表紙側に付された全てのＩＣタグ２３の記憶情報を取得することになる。逆に、書籍２４の見開きページのうち、裏表紙側のページに端末装置２５を近接させたときは、見開きページを含む裏表紙側に付された全てのＩＣタグ２３と交信することになり、裏表紙側に付された全てのＩＣタグ２３の記憶情報を取得することになる。
【００８１】
図１５は、本発明の第３の実施形態に係るＩＣタグ２３のハードウェア構成を示す図である。図１５に示すように、通信部２６、制御部２７、記憶部２８はバス２９を介して接続されている。
【００８２】
図１６は、本発明の第３の実施形態に係るＩＣタグ２３の機能ブロックを示す図である。図１６に示すように、ＩＣタグ２３は、端末装置２５と情報を送受信する通信部２６と、各種情報を記憶する記憶部２８と、通信部２６を介して情報を取得する情報取得手段１１２と、取得した情報を該記憶部２８に書き込む情報書込手段１１３と、記憶部２８に記憶された情報を、通信部２６を介して送信する情報送信手段１１４とを備えた制御部２７と、を備えて構成されている。
【００８３】
記憶部２８には、ＩＣタグ２３の識別情報であるタグＩＤ情報３０８が記憶されている。また、必要に応じて端末装置２５に表示する、インデックス用のテキスト・データが記憶されている場合もある。さらに、第１又は第２の実施形態とは異なり、ＩＣタグ２３が付された書籍２４の内容に関連する提供情報が、ＩＣタグ２３の記憶部２８に記憶されている（図１６）。
【００８４】
図１７は本発明の第３の実施形態に係るＩＣタグ２３の記憶部２８に記憶された情報を示す図である。図１７に示すように、前記提供情報は、書籍２４の表紙側の提供情報３０９、及び裏表紙側の提供情報３１０であり、その形式は、ＩＣタグ２３の記憶容量に応じて、比較的容量の小さいテキスト、音声、画像等の電子データである。
【００８５】
また、本発明の第１の実施形態と同様に、前記タグＩＤ情報３０８にはシーケンス番号が含まれており、最も表紙側に近いページに付されたＩＣタグ２３のシーケンス番号は開始番号であり（例えば０００）、最も裏表紙側に近いページに付されたＩＣタグ２３のシーケンス番号は終了番号である（例えば９９９）。ここで、ＩＣタグ２３を表紙や裏表紙にも付す場合には、表紙に付されたＩＣタグ２３のシーケンス番号が開始番号となり、裏表紙に付されたＩＣタグ２３のシーケンス番号が終了番号となる。
【００８６】
図１８は、本発明の第３の実施形態に係る端末装置２５のハードウェア構成を示す図である。図１８に示すように、入力部３０、表示部31、記憶部３２、通信部３３、Ｒ／Ｗ機能部３４、制御部３５はバス３６を介して接続されている。
【００８７】
図１９は、本発明の第３の実施形態に係る端末装置２５の機能ブロックを示す図である。図１９に示すように、端末装置２５は、利用者の操作入力を受付ける入力部３０と、各種情報を表示する表示部３１と、プログラムや当該端末装置の個体識別番号を含む各種情報を記憶する記憶部３２と、前記ＩＣタグ２３と情報を送受信するためのＲ／Ｗ機能部３４と、前記記憶部３２に記憶されたプログラムを読み出して実行することにより、Ｒ／Ｗ機能部３４を介してＩＣタグ２３から情報を取得する情報取得手段１１５と、取得した情報を記憶部３２に書き込む情報書込手段１１６、取得した情報の中から特定の情報を選択する情報判断手段１１７と、を備えて構成されている。
【００８８】
また、端末装置２５は、ネットワークを介して他の装置との間で通信を行うための通信部３３、及び各種情報を通信部３３を介して送信する情報送信手段１１８を備えた制御部３５を備えていてもよい。例えば、本発明の端末装置２５は移動体通信システムにおける携帯電話である。この場合、前記記憶部３２に記憶されたプログラムはインターネットを介して取得した携帯電話用アプリケーション・ソフトウェアである。
【００８９】
図２０は、第３の実施形態に係る端末装置２５の情報判断処理のフローチャートを示す図である。第１又は第２の実施形態とは異なり、表示部３１に表示すべき提供情報が、表紙側の提供情報３０９か、それとも裏表紙側の提供情報３１０かの判断は端末装置２５において実行される。
【００９０】
まず、端末装置２５の制御部３５の情報判断手段１１７は、情報取得手段１１５から、Ｒ／Ｗ機能部３４を介して取得した複数のＩＣタグ２３のタグＩＤ情報３０８を取得する（ステップＳ２２）。ここで。タグＩＤ情報３０８にはシーケンス番号が備えられている。
【００９１】
次に、情報判断手段１１７は、取得した複数のシーケンス番号の中に開始番号が含まれているか否かを判断する（ステップＳ２３）。そして、取得した複数のシーケンス番号の中に開始番号が含まれていた場合には、情報判断手段１１７は、取得した複数のシーケンス番号の中の最大のシーケンス番号を有するＩＣタグ２３に記憶されている表紙側の提供情報３０９を選択する（ステップＳ２４）。
【００９２】
一方、取得した複数のシーケンス番号の中に開始番号が含まれていない場合は、情報判断手段１１７は、取得した複数のシーケンス番号の中に終了番号が含まれているか否かを判断する（ステップＳ２５）。そして、取得した複数のシーケンス番号の中に終了番号が含まれていた場合には、情報判断手段１１７は、取得した複数のシーケンス番号の中の最小のシーケンス番号を有するＩＣタグ２３に記憶されている裏表紙側の提供情報３１０を選択する（ステップＳ２６）。
【００９３】
最後に、情報判断手段１１７により選択された提供情報は、表示部３１に表示される。
なお、取得した複数のシーケンス番号の中に開始番号も終了番号も共に含まれていない場合には、ステップＳ２２に戻って、タグＩＤ情報３０８を再度取得する。
【００９４】
本発明の情報提供システム２２における情報提供は、例えば、以下のように実行される。
【００９５】
書籍２４には、全ページ（例えば１００ページ）にわたって、見開きの右ページの表面にＩＣタグ２３が計５０個付されている。
ＩＣタグ２３には、タグＩＤ情報３０８が記憶されており、表紙側からシーケンス番号が付与されている。なお、最初のシーケンス番号は開始番号（本事例では、００１）であり、最後のシーケンス番号は終了番号（本事例では、０５０）である。
【００９６】
ここで本事例では、端末装置２５は、Ｒ／Ｗ機能を有する携帯電話である。
利用者はＩＣタグ２３からの情報取得手段１１５及び情報判断手段１１７を備えるために、所定の携帯電話用アプリケーションを携帯電話にダウンロードする。
【００９７】
利用者はＩＣタグ２３が付された書籍２４の任意のページで、携帯電話を近接させることにより、例えば、表紙側の複数のＩＣタグ２３の記憶情報を取得する。ここで例えば書籍２４が、見開きの左側が表紙側で且つ偶数ページの場合、１０ページに携帯電話を近接させたときには、取得したタグＩＤ情報３０８に含まれるシーケンス番号は００１から００５となる。
【００９８】
携帯電話は、ダウンロードにより備えた情報判断手段１１７に従って、表示部３１に表示する提供情報を選択する。具体的には、取得した複数のシーケンス番号の中に開始番号（００１）が含まれていることから、携帯電話の表示部３１に表示される提供情報は、タグＩＤ情報３０８に００５のシーケンス番号を備えるＩＣタグ２３に記憶されていた表紙側の提供情報３０９となる。
【００９９】
一方、利用者が見開きの右側の１１ページに携帯電話を近接させたときは、読み込まれるＩＣタグ２３のタグＩＤ情報に含まれるシーケンス番号は００６から０５０となる。この場合は、取得した複数のシーケンス番号の中に終了番号（０５０）が含まれていることから、携帯電話の表示部３１に表示される提供情報は、タグＩＤ情報３０８に００６のシーケンス番号を備えるＩＣタグ２３に記憶されていた裏表紙側の提供情報３１０となる。
【０１００】
提供情報は例えば、書籍の内容に関するこれまでのあらすじの概説文や、これからの展開の予告文などのテキスト・データ等である。
【実施例】
【０１０１】
次に実施例を挙げて、本発明を更に具体的に説明する。
（実施例１）
書籍が問題集の場合には、提供情報として、演習問題や模範解答を、テキストや音声データで提供する。例えば、表紙側の提供情報としては、復習のための問題と解答等を提供し、裏表紙側の提供情報としては、予習のための解説等を提供することができる。
上述のように、表紙側と裏表紙側とで異なる情報を提供することにより、利用者はこれまで読み進めてきた部分の理解をより深め、これから読み進める部分により興味を抱くこととなり、電子的な提供情報を付加することによる書籍補助の効果が高まることとなる。
【０１０２】
（実施例２）
書籍が小説の場合には、提供情報として、電子データで挿絵や登場人物の関係図などを提供する。これまで読み進めた分の挿絵や登場人物の関係図しか表示しないようにすれば、ストーリーの先の展開を見てしまうことがない。また、読み込んだページに近いものを優先して提示することで、ページ番号などを都度入力・選択することなく、読み進めに応じた挿絵を見ることができる。例えば、表紙側ではタグＩＤ情報のシーケンス番号の降順、裏表紙側では、タグＩＤ情報のシーケンス番号の昇順に提供情報を表示する。
【０１０３】
（実施例３）
書籍が週刊誌、女性雑誌等の情報誌の場合には、提供情報として、電子データでトピックス記事やコラムなどを提供する。これらの提供情報を外出先において携帯電話で確認し、気になった記事を家でじっくり読む、といった使い方ができる。書籍の購入前であれば、雑誌購入のきっかけになるという効果を奏する。
【０１０４】
（実施例４）
書籍が通販カタログの場合には、提供情報として、電子データでインデックス情報やカテゴリ別のトレンド情報を提供する。これらを空き時間などに携帯電話で閲覧し、カタログを自宅で読んでもらえるように誘導する。
【図面の簡単な説明】
【０１０５】
【図１】本発明の第１及び第２の実施形態に係る情報提供システムの全体構成を示す図である。
【図２】本発明の第１及び第２の実施形態に係るＩＣタグのハードウェア構成を示す図である。
【図３】本発明の第１及び第２の実施形態に係るＩＣタグの機能ブロックを示す図である。
【図４】本発明の第１及び第２の実施形態に係る端末装置のハードウェア構成を示す図である。
【図５】本発明の第１及び第２の実施形態に係る端末装置の機能ブロックを示す図である。
【図６】本発明の第１及び第２の実施形態に係る情報管理サーバのハードウェア構成を示す図である。
【図７】本発明の第１及び第２の実施形態に係る情報管理サーバの機能ブロックを示す図である。
【図８】本発明の第１及び第２の実施形態に係る提供情報管理テーブルの例を示す図である。
【図９】本発明の第１及び第２の実施形態に係る利用者履歴テーブルの例を示す図である。
【図１０】本発明の第１の実施形態に係る情報管理サーバの第１の情報判断処理のフローチャートを示す図である。
【図１１】本発明の第１及び第２の実施形態に係る情報管理サーバの第２の情報判断処理のフローチャートを示す図である。
【図１２】本発明の第２の実施形態に係る端末装置の情報判断処理のフローチャートを示す図である。
【図１３】本発明の第２の実施形態に係る情報管理サーバの第１の情報判断処理のフローチャートを示す図である。
【図１４】本発明の第３の実施形態に係る情報提供システムの全体構成を示す図である。
【図１５】本発明の第３の実施形態に係るＩＣタグのハードウェア構成を示す図である。
【図１６】本発明の第３の実施形態に係るＩＣタグの機能ブロックを示す図である。
【図１７】本発明の第３の実施形態に係るＩＣタグの記憶部に記憶された情報を示す図である。
【図１８】本発明の第３の実施形態に係る端末装置のハードウェア構成を示す図である。
【図１９】本発明の第３の実施形態に係る端末装置の機能ブロックを示す図である。
【図２０】本発明の第３の実施形態に係る端末装置の情報判断処理のフローチャートを示す図である。
【符号の説明】
【０１０６】
１，２２・・・情報提供システム
２，２３・・・ＩＣタグ
３，２４・・・書籍
４，２５・・・端末装置
５・・・ネットワーク
６・・・情報管理サーバ
７，２６・・・ＩＣタグの通信部
８，２７・・・ＩＣタグの制御部
９，２８・・・ＩＣタグの記憶部
１０，１７，２１，２９，３６・・・バス
１１，３０・・・端末装置の入力部
１２，３１・・・端末装置の表示部
１３，３２・・・端末装置の記憶部
１４，３３・・・端末装置の通信部
１５，３４・・・端末装置のＲ／Ｗ機能部
１６，３５・・・端末装置の制御部
１８・・・情報管理サーバの記憶部
１９・・・情報管理サーバの通信部
２０・・・情報管理サーバの制御部
１０１，１１２・・・ＩＣタグの情報取得手段
１０２，１１３・・・ＩＣタグの情報書込手段
１０３，１１４・・・ＩＣタグの情報送信手段
１０４，１１５・・・端末装置の情報取得手段
１０５，１１６・・・端末装置の情報書込手段
１０６，１１７・・・端末装置の情報判断手段
１０７，１１８・・・端末装置の情報送信手段
１０８・・・情報管理サーバの情報取得手段
１０９・・・情報管理サーバの情報書込手段
１１０・・・情報管理サーバの情報判断手段
１１１・・・情報管理サーバの情報送信手段
２０１・・・提供情報管理テーブル
２０２・・・利用者履歴テーブル
２０３・・・所定の提供情報を選択するための条件を記載したプログラム
３０１・・・提供情報管理ＩＤ
３０２・・・書籍識別ＩＤ情報
３０３，３０８・・・タグＩＤ情報
３０４，３０９・・・表紙側の提供情報
３０５，３１０・・・裏表紙側の提供情報
３０６・・・端末装置の個体識別番号
３０７・・・年月日並びに時間情報
【図２】
2010086209.tif 000003
【図３】
2010086209.tif 000004
【図４】
2010086209.tif 000005
【図５】
2010086209.tif 000006
【図６】
2010086209.tif 000007
【図７】
2010086209.tif 000008
【図８】
2010086209.tif 000009
【図９】
2010086209.tif 000010
【図１０】
2010086209.tif 000011
【図１１】
2010086209.tif 000012
【図１２】
2010086209.tif 000013
【図１３】
2010086209.tif 000014
【図１４】
2010086209.tif 000015
【図１５】
2010086209.tif 000016
【図１６】
2010086209.tif 000017
【図１７】
2010086209.tif 000018
【図１８】
2010086209.tif 000019
【図１９】
2010086209.tif 000020
【図２０】
2010086209.tif 000021
【図１】
2010086209.tif 000022